(57)【要約】【課題】頭（顔）の部分に取り付ける方法以外で、簡易な防アークの保護具を提案すること。【解決手段】防アーク性能を有する光透過性の防アークシート（２）を取り付けた前方枠（３）と、片端に留め具（６）を備えた二つの側方枠（４）とを備え、前方枠（３）の両端に前記側方枠（４）の他の方端を接続することを特徴とする作業用保護具（１）。留め具（６）を分電盤のケースの適当な端に取り付けて、防アークシート（２）を介して、分電盤側の作業内容を視認するとともに、仮に分電盤にてアークが発生しても、防アークシート（２）により、作業者の顔や喉への溶融銅屑等の飛散を防止することができる。【選択図】 図１
2011252531.tif 000002
【特許請求の範囲】
【請求項１】
防アーク性能を有する光透過性のシートを取り付けた前方枠と、
片端に留め具を備えた二つの側方枠とを備え、
前記前方枠の両端に前記側方枠の他の方端を接続すること、
を特徴とする作業用保護具。
【請求項２】
前記前方枠の両端と前記側方枠を接続する部分にヒンジを設け、
前記前方枠と前記側方枠が回動可能にすること、
を特徴とする請求項１の作業用保護具。
【請求項３】
前記側方枠の中間にヒンジ又は曲げ自在な部材を設けたこと、
を特徴とする請求項１又は２の作業用保護具。
【請求項４】
前記側方枠の中間で、側方枠の長手方向を軸として軸回転可能にすること、
を特徴とする請求項１又は２の作業用保護具。
【請求項５】
前記留め具がバネ式のクランプ型であること、
を特徴とする請求項１から４の作業用保護具。
【請求項６】
前記シートが略長方形であり、前記前方枠と対向する前記シートの下端に錘をつけたこと、
を特徴とする請求項１から５の作業用保護具。
【請求項７】
前記シートにＬＥＤ発光装置を取り付けたこと、
を特徴とする請求項１から６の作業用保護具。
【発明の詳細な説明】
【技術分野】
【０００１】
本発明は、作業者が充電部に接近して作業する場合に使用する保護具に関する。
【背景技術】
【０００２】
電力会社では、需要家に作業者を派遣し、需要家宅内で充電部に接近して作業（例えば、分電盤におけるサービスブレーカ取替等）を行わせることがある。そして、宅内においては、図７に示すように、ヘルメット１１２に防アーク用の防護面（異動作業用防アーク面）１１３を付けて作業を行っている。これは、充電部で誤操作等によりアーク（火花）が発生すると溶けた銅屑（6000℃〜7000℃）等が飛散するが、これらが顔や喉にかかると火傷を負うため、それを防ぐためのものである。
【０００３】
しかし、ヘルメット１１２等を付けて作業を行うと、視界が狭まり、また、分電盤は、通常、高所に設置されていることから脚立を用いての作業が多いこともあいまって、ヘルメット１１２や上にスライドした防護面が需要家宅内の天井や壁にぶつかり、傷付けたり、天井の照明器具を壊してしまうこともあった。
【０００４】
また、防護面１１３を付けて作業することは、需要家に電気への恐怖心を惹起させ、需要家宅内での作業の実施に難色を示されたり、苦情を受けることもあった。
【０００５】
一方、アーク防護の先行技術としては、特許文献１と２には、頭（顔）に付けるタイプの防護具が提案されており、また、特許文献３にも、全身を覆うタイプの防護衣服が提案されている。
【０００６】
しかし、いずれも作業者の身にまとうものであり、上述の問題を解決するものではない。
【先行技術文献】
【特許文献】
【０００７】
【特許文献１】特開平２−１４２５６３号公報
【特許文献２】特開平１−２０１２５４号公報
【特許文献３】特表２００８−５０８０２７号公報
【発明の概要】
【発明が解決しようとする課題】
【０００８】
そのため、作業者の身にまとう以外の方法の、簡易な防アークの保護具を実現したい。
【課題を解決するための手段】
【０００９】
そこで、発明者は、この課題を解決すべく、次の構成の作業用保護具１を発明した。
つまり、防アーク性能を有する光透過性のシート２を取り付けた前方枠３と、片端に留め具６を備えた二つの側方枠４とを備え、前記前方枠３の両端に前記側方枠４の他の片端を接続してなることを特徴とするものである。
【発明の効果】
【００１０】
本発明により、視界が広くなり、また、作業者の吐く息により曇ることもなく、作業性が向上し、需要家の宅内設備を損傷することがなくなる。更に、作業疲労が軽減し、特に夏場においては、作業時の清涼化が図れる。また更に、防護面１１３よりも安価であり、シート２の取替により、長期間利用できる。
【図面の簡単な説明】
【００１１】
【図１】本発明に係る保護具の斜視図である。
【図２】本発明に係る保護具の側面図である。
【図３】本発明に係る保護具の平面図である。（ａ）は側方枠に第２ヒンジを設け、（ｂ）は前方枠を湾曲させたもの。
【図４】本発明に係る保護具の正面図である。（ａ）はＬＥＤ受け部からＬＥＤ装置を外した状態、（ｂ）は付着させた状態である。
【図５】本発明に係る保護具を利用して作業している状況を説明する平面図である。
【図６】本発明に係る保護具を利用して作業している状況を説明する斜視図である。（ａ）は作業者の右手方向から見込んだ場合、（ｂ）は作業者の背面方向から見込んだ場合、（ｃ）は作業者の左手方向から見込んだ場合である。
【図７】従来品の防アークの防護面。（ａ）は防護面をヘルメットの上にスライドした状態、（ｂ）は防護面を顔の前面に下ろして作業できる状態である。
【発明を実施するための形態】
【００１２】
以下、図面も参照しながら、本発明の実施形態について説明する。
なお、以下の実施形態は、本発明の具体例の一部であり、本発明の技術思想としての範囲を限定するものではない。
【００１３】
（実施例１の説明）
図１は、本発明に係る保護具１の構成を示すものである。
保護具１は、光透過性の防アーク性能を有する防アークシート２（具体的には、山本光学株式会社製のレーザーシールドカーテンＹＬＣ−１を用いている）を略長方形に形成し、それを前方枠３に接続している。防アークシート２のサイズは、垂直で４０センチメートル程度、水平で３０センチメートル程度が適当である。防アークシート２に光透過性を必要とするのは、防アークシート２を通して、作業内容を視認できるようにするためである。
【００１４】
そして前記前方枠３の両端に側方枠４ａ，４ｂを取り付ける。この取り付けは、図１に示すように、第１ヒンジ５ａ、５ｂを介しておこなう（前記第１ヒンジ５を介さずに、直接に剛接合することもあり得る）。前記第１ヒンジ５により、前記前方枠３と前記側方枠４ａ、４ｂは、水平方向に可動し、任意の角度とすることができる。更に、前記側方枠４ａ、４ｂのもう一つの片端には、留め具６ａ、６ｂを備える。
【００１５】
前記側方枠４および前記留め具６は、後述の保護具１の使い方で説明するように、充電部に近づくことから、表面を絶縁加工（または、部材そのものを絶縁材料と）するのが望ましい。
【００１６】
図２は、保護具１の側面図である。
前記留め具６は、作業時に分電盤２０１等に取り付けるものであり、図１と図２では、バネ（図示せず）の弾性力を用いたクランプ式のものを示している。前記側方枠４とレバー８を作業員が握って前記留め具６を開き、それを分電盤２０１のカバーケースの接合部の端部に挟み込んで保持する。バネ強度は、この端部をしっかりと把持し、作業員が作業中に保護具１に接触したとしても、容易にずれたり外れたりしないものにする。また、分電盤２０１等は需要家の資産であり、傷などを付けないように、前記留め具６の把持部９はゴムなどの弾力性のある材質にするのが望ましい。
【００１７】
図５と図６は、保護具１を実際に分電盤２０１の作業に適用した場合の状況を示すものである。図６の（ａ）、（ｂ）、（ｃ）は、図５にて作業者１００の作業を、作業者１００の右手方向から見込んだ場合（矢視Ａ）、作業者１００の背面方向から見込んだ場合（矢視Ｂ）、作業者１００の左手方向から見込んだ場合（矢視Ｃ）に、それぞれ対応するものである。
【００１８】
図５に示す作業者１００は右利きの者であり、右手を使いやすくするために、分電盤２０１における作業の略中心位置から左手方向に保護具１が位置するよう、前記留め具６を前記分電盤２０１のカバーケース端部に把持するとともに前記第１ヒンジ５も調整し、前記作業者１００の顔１０２が前記防アークシート２の正面に位置するようにする（左利きの者の場合は逆にする）。
【００１９】
これにより、仮に作業中に前記分電盤２０１で短絡事故等が発生しても、前記作業員１００の顔１０２の前には前記防アークシート２があることから、飛散する溶けた銅屑等が前記作業者１００の顔１０２や喉にかかることを防ぐことができる。また、前記防アークシート２は薄く可撓性のあるものであり、前記作業者１００が作業するに際し、これに手や腕がこれに接触しても作業の妨げになることはなく、作業性は維持される。
【００２０】
また、作業は基本的に屋内で実施するが、屋外で実施することもないわけではない。そのため、風による前記防アークシート２の捲れ上がりが問題になる。つまり、捲れ上がったときにアークが発生してしまうと、防護具としての用を為さなくなる虞がある。そのため、捲れ上がりを防止するために、図示はしないが、前記防アークシート２の下端に錘等を連続的に又は間欠的に備えてもよい。
【００２１】
（実施例２の説明）
上述の実施例１で説明した保護具１が基本形であるが、そのバリエーションとして、図３に示すものもある。
【００２２】
つまり、図３（ａ）においては、前記側方枠４に第２ヒンジ１０ａ、１０ｂを設け、これらを調整することにより、前記防アークシート２と前記分電盤２０１等の作業箇所と間の距離等を、前記第１ヒンジ５のみある場合よりも、より柔軟に調整することができ、例えば、狭隘な作業場所などでの作業効率の確保に役に立つ。また、前記第２ヒンジ１０を設ける以外にも、曲げ自在な部材を前記側方枠４の一部又は全部に用いてもよい。
【００２３】
更に、図３（ｂ）のように前記前方枠３を湾曲させ、前記作業者１００が作業箇所に顔１０２を接近させやすくしてもよい。
【００２４】
更にまた、図示はしないが、前記側方枠４を、例えば、釣り竿等のように伸縮できる構造とし、狭隘箇所に設置した前記分電盤２０１等の作業にも適用できるようにしてもよい。
【００２５】
（実施例３の説明）
分電盤２０１は、需要家宅内の目立たない場所に取り付けられることが多い。そのため、作業を行うに際し、日中でも照明を必要とすることがある。その場合、保護具１に照明機能をもたせてもよい。
【００２６】
例えば、図４（ａ）に示すように、前記防アークシート２の左端に、化学繊維製の多数の微少なループを表面にもつ面ファスナー（ベロクロテープ）の生地を帯状に形成して貼付したＬＥＤ受け部２０を設ける。また、別に、化学繊維製の前記微少なループと絡まる多数の微少なカギ状フックを表面にもつ面ファスナーの生地を帯状に形成し、その裏側にＬＥＤ２２を複数個取り付け、電源を含むＬＥＤ操作部２３に電線２４にて接続したＬＥＤ装置２１を設ける。
【００２７】
そして、照明が必要な場合には、図４（ｂ）に示すように、前記ＬＥＤ装置２１を前記ＬＥＤ受け部２０に付着させるとともに、前記ＬＥＤ操作部２３を前記前方枠３に付着させ、前記ＬＥＤ操作部２３を操作することにより、前記ＬＥＤ２２を発光させ、暗がりの場所においても、作業可能なようにすることができる。
【符号の説明】
【００２８】
１…保護具、２…防アークシート、３…前方枠、４…側方枠、５…第１ヒンジ、
６…留め具、７…支点、８…レバー、９…把持部（ゴム製）、１０…第２ヒンジ、
２０…ＬＥＤ受け部、２１…ＬＥＤ装置、２２…ＬＥＤ、２３…ＬＥＤ操作部、
２４…電線、１００…作業者、１０１…頭、１０２…顔、１０３…右肩、１０４…左肩、
１０５…右腕、１０６…左腕、１１０…ゴム手袋、１１１…工具（ドライバーなど）、
１１２…ヘルメット、１１３…防アーク用の防護面（異動作業用防アーク面）、
２００…（需要家宅内の）壁、２０１…（需要家宅内に設置してある）分電盤
【図１】
2011252531.tif 000003
【図２】
2011252531.tif 000004
【図３】
2011252531.tif 000005
【図４】
2011252531.tif 000006
【図５】
2011252531.tif 000007
【図６】
2011252531.tif 000008
【図７】
2011252531.tif 000009